(57)【要約】【課題】本発明は、電源電圧の変動時における回路素子間の信号電圧を適切な範囲に抑制する電子装置に関する。【解決手段】電子装置１は、信号出力回路部２が電源電圧Ｖａによって動作して信号を信号線５を通して信号入力回路部３に出力し、信号入力回路部３が電源電圧Ｖｂによって動作して信号の処理を行う。保護回路部４は、信号線５に接続され、電源オフ時等において、信号線５を流れる信号の電圧値が、ダイオードＤ１と抵抗１との接続点Ｐの電位とダイオードＤ１の順方向電圧を加算した閾値電圧を超える電圧値になると、ダイオードＤ１に信号線５から電流を流して、信号線５を流れる信号の電圧値を該閾値電圧以下に抑制する。【選択図】          図１
2010211645.tif 000002
【特許請求の範囲】
【請求項１】
供給される電源電圧によって動作して信号線を通して信号の受け渡しを行う少なくとも２つ以上の回路部を備えた電子装置において、前記信号線に、該信号線を流れる前記信号の信号電圧値を所定の規制電圧値以下に抑制する保護回路部が設けられていることを特徴とする電子装置。
【請求項２】
前記電子装置は、該電子装置の電源がオフまたはオンにされたときに、前記信号線で接続されている一方の前記回路部に供給される前記電源電圧の立ち下がり開始タイミングまたは／及び立ち上がり開始タイミングと他方の前記回路部に供給される前記電源電圧の立ち下がり開始タイミングまたは／及び立ち上がり開始タイミングとがずれており、
前記信号線で接続されている前記回路部は、その動作の保証される前記電源電圧の電圧値の奨励動作範囲を有しており、前記電源電圧が立ち下がり時または／及び立ち上がり時に該奨励動作範囲外になると、前記規制電圧値を超える信号電圧値の前記信号を前記信号線に出力し、
前記保護回路部は、前記信号の信号電圧値を前記規制電圧値以下に抑制することを特徴とする請求項１記載の電子装置。
【請求項３】
前記電子装置は、該電子装置の電源がオフまたはオンされたときに、前記信号線によって接続されている一対の前記回路部に供給されている前記電源電圧の立ち下がり開始タイミングまたは／及び立ち上がり開始タイミングがほぼ同時であり、
一対の前記回路部は、その動作の保証される前記電源電圧の電圧値の奨励動作範囲が異なり、前記電源電圧が立ち下がり時または／及び立ち上がり時に該奨励動作範囲外になると、前記規制電圧値を超える電圧値の前記信号を前記信号線に出力し、
前記保護回路部は、前記信号の信号電圧値を前記規制電圧値以下に抑制することを特徴とする請求項１記載の電子装置。
【請求項４】
前記保護回路部は、前記信号を受信する側の前記回路部に供給されている前記電源電圧が印加され、該電源電圧の立ち下がりに応じて前記規制電圧値を下げ、または／及び、該電源電圧の立ち上がりに応じて該規制電圧値を上げることを特徴とする請求項１から請求項３のいずれかに記載の電子装置。
【請求項５】
前記保護回路部は、前記信号線にそのアノードが接続されたダイオードと、該ダイオードのカソードに接続され前記信号を受信する側の前記回路部に供給されている前記電源電圧が印加されている直列抵抗と、該ダイオードのカソードと該直列抵抗との接続線に接続され他端が接地されている並列抵抗と、を備えていることを特徴とする請求項１から請求項４のいずれかに記載の電子装置。
【請求項６】
前記電子装置は、前記回路部として、発光側電源電圧が供給され発光素子を駆動する駆動回路部と、発光制御側電源電圧が供給され画像データに基づいて前記発光素子の点灯／消灯を制御する点灯制御信号とその信号電圧値によって該発光素子の発光光量を制御する発光光量信号を前記信号線を通して前記駆動回路部に出力する発光制御回路部と、を備えており、
前記保護回路部は、前記駆動回路部と同じ発光側電源電圧が供給され、前記発光光量信号の信号電圧値を所定の規制電圧値以下に抑制することを特徴とする請求項１から請求項５のいずれかに記載の電子装置。
【請求項７】
前記電子装置は、前記信号線で接続されている前記回路部の一方に供給されている電源電圧の電圧値を検出して、該電圧値が予め設定されている規制電源電圧値範囲外になると、該信号線で接続されている他方側の前記回路部の動作を停止させる動作停止回路部が設けられていることを特徴とする請求項１から請求項６のいずれかに記載の電子装置。
【発明の詳細な説明】
【技術分野】
【０００１】
本発明は、電子装置に関し、詳細には、供給電源の変動時における回路素子間の信号電圧を適切な範囲に抑制する電子装置に関する。
【背景技術】
【０００２】
プリンタ装置、複写装置、ファクシミリ装置、複合装置、コンピュータ等の電子装置は、複数の電気回路部、電子回路部（以下、単に、回路部という。）を搭載しており、回路部は、同じ電源部から電源電圧・電流（以下、単に、電源電圧という。）の供給される回路部もあれば、異なる電源部から電源電圧の供給される回路部もある。
【０００３】
回路部は、複数の回路部品によって構成されており、供給される電源電圧の供給下で動作して動作処理結果の信号を他の電子回路部に出力し、また、他の回路部から入力される信号に基づいて動作して動作処理結果を出力したり、発光動作、音声出力動作等の各種動作を行ったりする。
【０００４】
そして、回路部を構成する回路部品は、安定動作を行う電源電圧の奨励動作範囲が存在し、また、入力される信号によって回路が損傷したりすることなく適切に動作するための信号電圧値に対する絶対最大定格値が存在し、回路部品の仕様書等に記載されている。したがって、電子装置においては、回路部品に供給される電源電圧が奨励動作範囲となるように回路設計され、また、いかなる場合にも絶対最大定格値を超える信号が回路部に入力されない状態で動作するように回路設計して、回路部品の安全と誤動作の防止が図られている。
【０００５】
そして、従来、電子装置においては、電源部から各電子回路部に供給する電源電圧に対しては、過電圧や過電流に対する対策が種々行われている（特許文献１参照）。
【０００６】
例えば、図４に示すように、信号出力回路部１０１と信号回路部１０２が接続された電子装置１００において、信号出力回路部１０１に電源電圧Ｖａが図示しない電源部から供給され、信号出力回路部１０２に電源電圧Ｖｂが図示しない電源部から供給されている場合、電源電圧Ｖａ及び電源電圧Ｖｂが過電圧となることを防止する過電圧保護回路が一般的に設けられている。
【発明の概要】
【発明が解決しようとする課題】
【０００７】
しかしながら、上記従来技術にあっては、電源電圧については、過電圧保護回路の設定等によって保護対策が施されているが、回路部品間で入出力される信号電圧に対する回路保護については、その対策が充分に図られてはいない。
【０００８】
すなわち、上述のように、電源電圧の奨励動作範囲で動作しているときの信号の入出力については各端子の絶対最大定格値を超える信号が回路部に入力されないように回路設計が行われている。ところが、電子装置の電源のオフ時や省エネルギーモードへの移行時の電源オフ時等において、電源が完全にオフするまでの過渡状態においては、各電源の立ち下がりタイミングが異なるため、全ての回路部品や回路システムの動作を保護することは非常に困難である。
【０００９】
例えば、上記図４の信号出力回路部１０１が、図５に示すように、その電源奨励動作範囲として、３．０Ｖ＜Ｖａ＜５．５Ｖを有している場合、奨励動作範囲外の電源電圧Ｖａでの動作は保証されていない。図５の場合、信号出力回路部１０１は、電源電圧Ｖａが、奨励動作範囲であるときには、出力電圧Ｖｏが０Ｖの信号を信号回路部１０２に出力するが、例えば、電源電圧Ｖａが２．０Ｖ程度まで低下すると、電源電圧Ｖａと同等の出力電圧Ｖｏの信号を出力してしまうことが示されている。
【００１０】
一方、いま、信号出力回路部１０１と信号入力回路部１０２が適用されている電子装置の電源オフが行われたときに、図６に示すように、信号出力回路部１０１に供給されている電源電圧Ｖａが立ち下がり始めた後、所定時間経過してから、信号入力回路部１０２に供給されている電源電圧Ｖｂが立ち下がり始めるような電源オフシーケンスが異なる場合がある。このような場合、電源電圧Ｖａ、Ｖｂの変化に対して、信号出力回路部１０１から信号入力回路部１０２へ出力される出力信号の出力電圧Ｖｏは、例えば、図７に示すように、電源電圧Ｖａが奨励動作範囲であるときには、１Ｖであったが、信号出力部１０１の電源電圧Ｖａが奨励動作範囲を外れると、電源電圧Ｖａの電圧値まで上昇して、一旦、信号入力回路部１０２の絶対最大定格値である２．０Ｖを超える事態（Ｖｏ＞２．０Ｖ）となった後に、電源電圧Ｖａが下がるのに伴って低下する。したがって、信号入力回路部１０２の絶対最大定格値を超える信号が信号入力回路部１０２に入力されると、信号入力回路部１０２が損傷したり、誤動作するおそれがある。このような事態は、回路部に供給されていた電源電圧が立ち下がる場合だけでなく、電源がオンされて、回路部に供給される電源電圧が立ち上がるときにも発生する。
【００１１】
そこで、本発明は、回路部間でやり取りされる信号の信号電圧値を適切に所定の規制電圧値以下に抑制して、誤動作、故障の発生を適切に防止する電子装置を提供することを目的としている。
【課題を解決するための手段】
【００１２】
本発明の電子装置は、上記目的を達成するために、供給される電源電圧によって動作して信号線を通して信号の受け渡しを行う回路部間の該信号線に、該信号線を流れる信号の信号電圧値を所定の規制電圧値以下に抑制する保護回路部が設けられていることを特徴としている。
【００１３】
また、本発明の電子装置は、電源がオフにされたときに、前記信号線で接続されている一方の前記回路部に供給されている前記電源電圧の立ち下がり開始タイミングまたは／及び立ち上がり開始タイミングと他方の前記回路部に供給されている前記電源電圧の立ち下がり開始タイミングまたは／及び立ち上がり開始タイミングとがずれており、前記信号線で接続されている前記回路部が、その動作の保証される前記電源電圧の電圧値の奨励動作範囲を有して、前記電源電圧が立ち下がり時または／及び立ち上がり開始時に該奨励動作範囲外になると、前記規制電圧値を超える信号電圧値の前記信号を前記信号線に出力し、前記保護回路部が、前記信号の信号電圧値を前記規制電圧値以下に抑制することを特徴としてもよい。
【００１４】
さらに、本発明の電子装置は、電源がオフされたときに、前記信号線によって接続されている一対の前記回路部に供給されている前記電源電圧の立ち下がり開始タイミングまたは／及び立ち上がり開始タイミングがほぼ同時であって、一対の前記回路部が、その動作の保証される前記電源電圧の電圧値の奨励動作範囲が異なり、前記電源電圧が立ち下がり時または／及び立ち上がり時に該奨励動作範囲外になると、前記規制電圧値を超える電圧値の前記信号を前記信号線に出力し、前記保護回路部は、前記信号の信号電圧値を前記規制電圧値以下に抑制することを特徴としてもよい。
【００１５】
また、本発明の電子装置は、前記保護回路が、前記信号を受信する側の前記回路部に供給されている前記電源電圧が印加され、該電源電圧の立ち下がりに応じて前記規制電圧値を下げ、または／及び、該電源電圧の立ち上がりに応じて該規制電圧値を上げることを特徴としてもよい。
【発明の効果】
【００１６】
本発明によれば、回路部間でやり取りされる信号の信号電圧値を適切に規制電圧値以下に抑制することができ、誤動作、故障の発生を適切に防止することができる。
【図面の簡単な説明】
【００１７】
【図１】本発明の第１実施例を適用した電子装置の要部回路構成図。
【図２】第１実施例の電子装置の具体例を示す回路構成図。
【図３】第２実施例の電子装置の要部回路構成図。
【図４】従来の電子装置の要部回路構成図。
【図５】回路部の電源電圧と出力電圧の関係を示す図。
【図６】電源オフ時の電源電圧波形を示す図。
【図７】電源オフ時の電源電圧波形と出力電圧波形を示す図。
【発明を実施するための形態】
【００１８】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１９】
図１及び図２は、本発明の電子装置の第１実施例を示す図であり、図１は、本発明の電子装置の第１実施例を適用した電子装置１の要部ブロック構成図である。
【００２０】
図１において、電子装置１は、プリンタ装置、複写装置、ファクシミリ装置、複合装置、コンピュータ等であり、信号出力回路部２と信号入力回路部３及び保護回路部４等を搭載している。
【００２１】
信号出力回路部２には、図示しない電源部から電源電圧Ｖａが供給され、信号入力回路部３には、図示しない電源部から電源電圧Ｖｂが供給される。信号出力回路部２に電源電圧Ｖａを供給する電源部と信号入力回路部３に電源電圧Ｖｂを供給する電源部とは、本実施例では、異なる電源部であり、例えば、電源電圧Ｖａが、５Ｖで、電源電圧Ｖｂが、５Ｖである。
【００２２】
信号出力回路部２は、電源電圧Ｖａが供給されることによって動作して、１．０Ｖの信号を信号入力回路部３に出力し、信号入力回路部３は、電源電圧Ｖｂが供給されることによって動作して、信号出力回路部２から入力される信号に応じた動作を行う。
【００２３】
信号出力回路部２及び信号入力回路部３は、その奨励動作範囲が、図５に示したように、３．０Ｖ＜Ｖａ、Ｖｂ＜５．５Ｖであり、信号入力回路部３の入力端子の絶対最大定格値が、２．０Ｖである。また、信号出力回路部２に供給されている電源電圧Ｖａと信号入力回路部３に供給されている電源電圧Ｖｂは、図６に示した場合と同様に、その立ち下がりに時間差がある。さらに、信号出力回路部２は、電源電圧Ｖａが奨励動作範囲外になると、その出力信号として、電源電圧Ｖａの電圧を出力する。
【００２４】
そして、信号出力回路部２から信号出力回路部３への信号線５に、保護回路部４が接続されている。保護回路部４は、ダイオードＤ１及び抵抗Ｒ１、Ｒ２で構成されており、ダイオードＤ１と抵抗（直列抵抗）Ｒ１が直列に接続されている。ダイオードＤ１は、そのアノードが信号線５に接続され、そのカソードに抵抗Ｒ１が接続されて、抵抗Ｒ１に信号入力回路部３の電源部から同じ電源電圧Ｖｂが供給されている。ダイオードＤ１と抵抗Ｒ１との接続線の接続ポイントＰに、抵抗（並列抵抗）Ｒ２の一端が接続され、抵抗Ｒ２の他端は、接地されている。すなわち、信号出力回路部２から見て、信号入力回路部３への信号線５に対して並列に保護回路部４が接続されており、この保護回路部４が、ダイオードＤ１を介して電源電圧Ｖｂと接地電圧とに並列に接続された状態となっている。
【００２５】
保護回路部４は、本実施例では、ダイオードＤ１の順方向電圧Ｖｆが、０．５Ｖ、抵抗Ｒ１の抵抗値が、７ＫΩ、抵抗Ｒ２の抵抗値が、３ＫΩであり、電源電圧Ｖｂとして、５Ｖが供給される。
【００２６】
次に、本実施例の作用を説明する。本実施例の電子装置１は、電子装置１の電源オフ時に、信号出力回路部２の電源電圧Ｖａの立ち下がりタイミングと信号入力回路部３の電源電圧Ｖｂの立ち下がりタイミングにずれがある場合にも、信号入力回路部３に入力される信号が絶対最大定格値の範囲内となるように、保護回路部４で規制して信号入力回路部３を保護する。
【００２７】
すなわち、電子装置１は、信号出力回路部２と信号入力回路部３にそれぞれ奨励動作範囲の電源電圧Ｖａと電源電圧Ｖｂが供給されているときには、信号出力回路部２は、電源電圧Ｖａによって動作して、電圧値が１．０Ｖの信号を信号線５を通して信号入力回路部３に出力し、信号入力回路部３は、電源電圧Ｖｂが供給されることで、信号出力回路部２から入力される信号に応じた動作を行う。
【００２８】
この状態で、電子装置１の電源がオフにされると、信号出力回路部２の電源電圧Ｖａ及び信号入力回路部３の電源電圧Ｖｂもオフになるが、電源電圧Ｖａと電源電圧Ｖｂとは、その立ち下がりタイミングに、図６に示したように時間差がある。すなわち、図６では、電源電圧Ｖａが先に立ち下がりを開始し、所定時間経過した後に、電源電圧Ｖｂが立ち下がりを開始する。
【００２９】
そして、先に立ち下がりを開始する電源電圧Ｖａの供給されている信号出力回路部２は、その奨励動作範囲が、図５に示したように、３．０Ｖ＜Ｖａ＜５．５Ｖであり、電源電圧Ｖａが奨励動作範囲外になると、その出力信号として、電源電圧Ｖａと同じ電圧の信号を出力する。したがって、信号出力回路部２は、電源電圧Ｖａが立ち下がりを開始して奨励動作範囲外になると、図７に示したように、正常動作時の信号の電圧値である１．０Ｖから電源電圧Ｖａの電圧値へと上昇し、電源電圧Ｖａの立ち下がりとともに低下する信号を信号線５を通して信号入力回路部３に出力する。この信号出力回路部２が出力する信号の電圧値は、信号入力回路部３の絶対最大定格値である２．０Ｖを超える電圧値となるおそれがある。
【００３０】
ところが、信号線５には、保護回路部４が接続されており、保護回路部４は、信号入力回路部３の電源電圧Ｖｂと同じ電源電圧Ｖｂとの間に、信号線５から電源電圧Ｖａ方向を順方向とするダイオードＤ１が接続されている。そして、ダイオードＤ１と電源電圧Ｖｂとの間に抵抗Ｒ１が接続され、ダイオードＤ１と抵抗Ｒ１との接続点Ｐが抵抗Ｒ２によって接地されている。
【００３１】
したがって、接続点Ｐの電位Ｖｐは、Ｖｐ＝Ｖａ／（Ｒ１＋Ｒ２）×Ｒ２＝５／（７０００＋３０００）×３０００＝１．５Ｖであり、この接続点Ｐの電位ＶｐにダイオードＤ１の順方向電圧Ｖｆを加算した電圧（Ｖｐ＋Ｖｆ）が、信号線５側からダイオードＤ１に電流が流れるか否かの閾値電圧Ｖｔとなる。いま、ダイオード順方向電圧Ｖｆは、０．５Ｖであるので、閾値電圧Ｖｔは、１．５Ｖ＋０．５Ｖ＝２．０Ｖである。
【００３２】
そして、信号出力回路部２から信号入力回路部３に信号線５を通して出力される出力信号の電圧値が、この閾値電圧Ｖｔになると、保護回路部４に電流が流れ始めて、信号線５を流れる出力信号の電圧値を閾値電圧Ｖｔ以下に規制することができ、この閾値電圧Ｖｔが、信号入力回路部３の絶対最大定格値である２．０Ｖに設定されているため、信号入力回路部３に入力される出力信号の電圧値を２．０Ｖ以下に規制することができる。
【００３３】
上記電子装置１は、例えば、図２に示すようなレーザプリンタに適用される。図２において、電子装置１は、その信号出力回路部（発光制御回路部）２が、ＩＣ（Integrated Circuit：集積回路）２１とボルテージフォロア２２を備え、信号入力回路部（駆動回路部）３が、ノイズ除去回路３１、ＬＤ（レーザダイオード）ドライバ３２及びＬＤ（発光素子）３３等を備えている。
【００３４】
信号出力回路部２のＩＣ２１及びボルテージフォロア２２には、電源電圧（発光制御側電源電圧）Ｖａが供給され、ＩＣ２１は、画像データに基づいてＬＤ３３の点灯／消灯を制御するＬＤ点灯制御信号を信号入力回路部３のＬＤドライバ３２に出力するとともに、ボルテージフォロア２２を介して光量基準信号を、保護回路部４の接続されている信号線５を通して信号入力回路部３のノイズ除去回路３１に出力する。光量基準信号は、ＬＤ３３の発光光量を決定するための信号であり、ボルテージフォロア２２は、オペアンプで構成され、光量基準信号を、高インピーダンスでＩＣ２１と信号入力回路部３との分離を図って強化してノイズ除去回路３１に出力する。このボルテージフォロア２２に使用されているオペアンプは、図５に示したような出力特性を有しており、電源電圧Ｖａが立ち下がりを開始して奨励動作範囲外になると、正常動作時の信号の電圧値から電源電圧Ｖａの電圧値へと上昇して、電源電圧Ｖａの立ち下がりとともに低下する光量基準信号を信号線５を通して信号入力回路部３に出力する。
【００３５】
ノイズ除去回路３１は、積分回路やダンピング抵抗等を備え、信号出力回路部２のボルテージフォロア２２からの光量基準信号のノイズを除去してＬＤドライバ３２に出力する。ＬＤドライバ３２は、供給される電源電圧（発光側電源電圧）Ｖｂによって動作して、ＬＤ点灯制御信号に基づいてＬＤ３３の点灯／消灯を制御するとともに、光量基準信号に基づいてＬＤ３３の光量を制御する。ＬＤドライバ３２は、ＬＤ点灯制御信号がロー（Ｌｏｗ）のときに、ＬＤ３３を点灯させ、光量基準信号の電圧値に対応させた光量、すなわち、電圧値が高いほど高光量でＬＤ３３を点灯させる。ＬＤ３３には、電源電圧Ｖｂが供給される。
【００３６】
そして、レーザプリンタである電子装置１の電源がオフにされると、図６に示したように、電源電圧Ｖａと電源電圧Ｖｂが時間差を有して立ち下がる。すなわち、信号出力回路部２のＩＣ２１は、電源電圧Ｖａの立ち下がりに応じてローに向かって立ち下がるＬＤ点灯制御信号をＬＤドライバ３２に出力し、ＬＤドライバ３２は、ローのときにＬＤ３３を点灯させる。そして、ボルテージフォロア２２に使用されているオペアンプは、図５に示したような出力特性を有しており、電源電圧Ｖａが立ち下がりを開始して奨励動作範囲外になると、正常動作時の信号の電圧値から電源電圧Ｖａの電圧値へと上昇して、電源電圧Ｖａの立ち下がりとともに低下する光量基準信号を信号線５を通して信号入力回路部３に出力する。
【００３７】
したがって、電源電圧Ｖｂの立ち下がり時に光量基準信号の電圧値が高くなって、ＬＤドライバ３２が、ＬＤ３３を点灯させるとともに、その光量を上昇させる駆動を行うこととなり、ＬＤ３３の絶対最大定格値を超えるおそれがある。
【００３８】
ところが、上述のように、信号出力回路部２のボルテージフォロア２２から信号入力回路部３に光量基準信号を通す信号線５に保護回路部４が接続されており、保護回路部４が光量基準信号の電圧値をＬＤ３３の絶対最大定格値に規制する。したがって、電子装置１の電源オフ時に、ＬＤ３３が発光しても、ＬＤ３３が破損等を受けることを防止することができる。
【００３９】
なお、上記説明では、信号出力回路部２に供給されている電源電圧Ｖａが先に立ち下がりを開始し、信号入力回路部３に供給されている電源電圧Ｖｂが後から立ち下がる場合について説明したが、電源電圧Ｖａ、Ｖｂの立ち下がりタイミングの相異は、上記の場合に限るものではなく、上記とは逆に、信号が入力される側の回路部である信号入力回路部３の電源電圧Ｖｂが先に立ち下がりを開始して、信号を出力する側の回路部である信号出力回路部２の電源電圧Ｖａが後で立ち下がりを開始する場合にも、保護回路部４で信号出力回路部２から信号入力回路部３に出力される信号の信号値を適切な電圧の範囲内に規制することができる。
【００４０】
すなわち、電子装置１の電源がオフにされると、電源電圧Ｖｂが先に立ち下がり始めて、しばらくしてから電源電圧Ｖａが後から立ち下がり始めるため、先に立ち下がり始める電源電圧Ｖｂが信号入力回路部３の奨励動作範囲外に低下しても、信号出力回路部２が動作していると、１Ｖの信号が信号線５を通して信号入力回路部３に入力され、信号入力回路部３側に不具合が発生するおそれがある。
【００４１】
ところが、信号線５に保護回路部４が接続されているため、電源電圧Ｖｂが低下すると、接続点Ｐの電圧ＶｐとダイオードＤ１の順方向電圧Ｖｆを加算した電圧になり、閾値電圧Ｖｔ（Ｖｔ＝Ｖｐ＋Ｖｆ）が低下して、保護回路部４のダイオードＤ１へ電流が流れることで、信号入力回路部３に入力される信号の電圧を絶対最大定格値（２．０Ｖ等）以下に低下させることができる。例えば、電源電圧Ｖｂが０Ｖまで低下すると、閾値電圧Ｖｔが、ダイオード順方向電圧Ｖｆ（＝０．５Ｖ）のみとなり、信号出力回路部２が、１．０Ｖの信号を出力していても、信号入力回路部３には、閾値電圧Ｖｔと同じ電圧、すなわち、０．５Ｖが供給され、信号入力回路部３の故障、損傷を防止することができる。
【００４２】
なお、上記説明で掲げた電圧値、抵抗値等の数値は、一例であり、これらの値に限定されるものでないことは、いうまでもない。
【００４３】
また、上記説明では、電子装置１の電源がオフされて、回路部２、３に供給されている電源電圧Ｖａ、Ｖｂが立ち下がる場合について説明したが、電子装置１の電源がオンされて、回路部２、３への電源電圧Ｖａ、Ｖｂが立ち上がる場合についても、同様に適用することができる。
【００４４】
また、上記説明では、回路部２、３の入力端子に入力される電圧の絶対最大定格値を例として説明したが、制御目標とする電圧値は、絶対最大定格値に限るものではなく、絶対最大定格値未満の値であっても、誤動作の防止等のために制御目標の電圧値として設定して制御することもできる。
【００４５】
さらに、上記説明では、信号出力回路部２から信号入力回路部３に出力される信号値を保護回路部４で規制電圧値以下に規制する場合について説明したが、逆に、信号入力回路３から信号出力回路部２に信号が入力される場合にも同様に適用することができ、さらに、信号出力回路部２と信号入力回路部３の双方向に信号がやり取りされる場合にも同様に適用することができる。
【００４６】
また、上記説明では、信号入力回路部２に電源電圧Ｖａを供給する電源部と信号出力回路部３に電源電圧Ｖｂを供給する電源部が異なるものとして説明したが、１つの電源部からそれぞれの回路部２、３に電源電圧が供給される場合であっても、回路部２、３の奨励動作範囲が異なるときに、同様に適用することができ。また、信号出力回路部２と信号入力回路部３の奨励動作範囲が同じであっても、それぞれの回路部２、３を構成する回路部品のばらつきによっては、同様の状況が発生する可能性があり、このような場合にも、保護回路部４を設けることで、適切に信号電圧を適切な電圧範囲に規制することができ、回路部品の故障や誤動作を防止することができる。
【００４７】
さらに、実際の回路設計においては、各回路部品や電源電圧の誤差等をも考慮して設計されるのは、当然であり、説明を省略する。
【００４８】
このように、本実施例の電子装置１は、供給される電源電圧Ｖａ、Ｖｂによって動作して信号線５を通して信号の受け渡しを行う回路部２、３間の該信号線５に、該信号線５を流れる信号の信号電圧値を所定の規制電圧値、例えば、絶対最大定格値以下に抑制する保護回路部４が設けられている。
【００４９】
したがって、信号線５を流れる信号の信号電圧値を規制電圧値に適切に抑制することができ、回路部２、３の誤動作、故障の発生を適切に防止することができる。
【００５０】
また、本実施例の電子装置１は、電子装置１の電源がオフまたはオンされたときに、信号線５で接続されている一方の回路部２、３に供給される電源電圧Ｖａ、Ｖｂの立ち下がり開始タイミングまたは／及び立ち上がり開始タイミングと他方の回路部２、３に供給される電源電圧Ｖａ、Ｖｂの立ち下がり開始タイミングまたは／及び立ち上がり開始タイミングとがずれており、信号線５で接続されている回路部２、３が、その動作の保証される電源電圧Ｖａ、Ｖｂの電圧値の奨励動作範囲を有して、電源電圧Ｖａ、Ｖｂが立ち下がり時または／及び立ち上がり開始時に該奨励動作範囲外になると、規制電圧値（例えば、絶対最大定格値）を超える信号電圧値の信号を信号線５に出力し、保護回路部４が、信号の信号電圧値を該規制電圧値以下に抑制している。
【００５１】
したがって、回路部２、３の電源電圧Ｖａ、Ｖｂの立ち下がりタイミングや立ち上がりタイミングが異なる場合に、電源電圧Ｖａ、Ｖｂの立ち下がりまたは／及び立ち下がりによって奨励動作範囲となるときに、信号線５を流れる信号の信号電圧値を規制電圧値により一層適切に抑制することができ、回路部２、３の誤動作、故障の発生を適切に防止することができる。
【００５２】
さらに、本発明の電子装置１は、電源がオフまたはオンされたときに、信号線５によって接続されている一対の回路部２、３に供給されている電源電圧Ｖａ、Ｖｂの立ち下がり開始タイミングまたは／及び立ち上がり開始タイミングがほぼ同時であって、一対の回路部２、３が、その動作の保証される電源電圧の電圧値の奨励動作範囲が異なり、電源電圧Ｖａ、Ｖｂが立ち下がり時または／及び立ち上がり時に該奨励動作範囲外になると、規制電圧値を超える電圧値の信号を信号線５に出力し、保護回路部４が、該信号の信号電圧値を規制電圧値（例えば、絶対最大定格値）以下に抑制している。
【００５３】
したがって、回路部２、３の電源電圧Ｖａ、Ｖｂの立ち下がりタイミングや立ち上がりタイミングが同じで、電源電圧Ｖａ、Ｖｂの電圧値の奨励動作範囲が異なる場合に、電源電圧Ｖａ、Ｖｂの立ち下がりまたは／及び立ち上がりによって該奨励動作範囲となるときに、信号線５を流れる信号の信号電圧値を規制電圧値により一層適切に抑制することができ、回路部２、３の誤動作、故障の発生を適切に防止することができる。
【００５４】
また、本発明の電子装置１の保護回路部４は、信号を受信する側の回路部２、３（例えば、信号入力回路部３）に供給されている電源電圧Ｖａ、Ｖｂが印加され、該電源電圧Ｖａ、Ｖｂの立ち下がりまたは／及び立ち上がりに応じて規制電圧値を下げまたは／及び上げている。
【００５５】
したがって、信号線５を流れる信号の電圧値をより一層適切な電圧値に抑制することができ、回路部２、３の誤動作、故障の発生をより一層適切に防止することができる。
【００５６】
さらに、本実施例の電子装置１は、保護回路部４が、信号線５にそのアノードが接続されたダイオードＤ１と、ダイオードＤ１のカソードに接続され信号を受信する側の回路部２、３に供給されている電源電圧Ｖａ、Ｖｂ（図１及び図２では、信号入力回路部３に要求されている電源電圧Ｖｂ）が印加されている直列抵抗Ｒ１と、ダイオードＤ１のカソードと直列抵抗Ｒ１との接続線に接続点Ｐで接続され他端が接地されている並列抵抗Ｒ２と、を備えている。
【００５７】
したがって、簡単な構成で、かつ、適切に、信号線５を流れる信号の電圧値を、適切な電圧値に抑制することができ、回路部２、３の誤動作、故障の発生をより一層適切に防止することができる。
【００５８】
また、本実施例の電子装置１は、回路部として、発光側電源電圧Ｖｂが供給され発光素子であるＬＤ３３を駆動するＬＤドライバ３２を有する信号入力回路部（駆動回路部）３と、発光制御側電源電圧Ｖａが供給され画像データに基づいてＬＤ３３の点灯／消灯を制御する点灯制御信号とその信号電圧値によってＬＤ３３の発光光量を制御する発光光量信号を、信号線５を通して信号入力回路部３に出力する信号出力回路部（発光制御回路部）２と、を備えており、保護回路部４が、信号入力回路部３と同じ発光側電源電圧Ｖｂが供給され、発光光量信号の信号電圧値を所定の規制電圧値（例えば、ＬＤ３３の絶対最大定格値）以下に抑制している。
【００５９】
したがって、電子装置１の電源のオン／オフ時にＬＤ３３にＬＤ３３の絶対最大定格値を超える電圧が印加されるのを適切に防止することができ、ＬＤ３３が破損する等の不具合の発生を適切に防止することができる。
【実施例２】
【００６０】
図３は、本発明の電子装置の第２実施例を適用した電子装置５０の要部ブロック構成図である。
【００６１】
なお、本実施例は、上記第１実施例の電子装置１と同様の電子装置に適用したものであり、本実施例の説明において、第１実施例の電子装置１と同様の構成部分には、同一の符号を付して、その詳細な説明を省略するとともに、図示しない部分についても、同様の構成部分については、必要に応じて第１実施例で用いた符号をそのまま用いて説明する。
【００６２】
図３において、電子装置５０は、信号出力回路部２と信号入力回路部３が信号線５で接続されており、信号出力回路部２には、電源電圧Ｖａが、信号入力回路部３には、電源電圧Ｖｂが、それぞれ供給される。
【００６３】
信号出力回路部２は、電源電圧Ｖａが供給されることによって動作して信号を信号入力回路部３に出力し、信号入力回路部３は、電源電圧Ｖｂが供給されることによって動作して、信号出力回路部２から入力される信号に応じた動作を行う。
【００６４】
信号入力回路部３及び信号出力回路部２は、その奨励動作範囲が、図５に示したように、３．０Ｖ＜Ｖａ、Ｖｂ＜５．５Ｖであり、その絶対最大定格値が、２．０Ｖである。また、信号入力回路部３に供給されている電源電圧Ｖａと信号出力回路部２に供給されている電源電圧Ｖｂは、図６に示した場合と同様に、その立ち下がりや立ち上がりに時間差がある。さらに、信号出力回路部２は、電源電圧Ｖａが奨励動作範囲外になると、その出力信号として、電源電圧Ｖａの電圧を出力する。
【００６５】
信号入力回路部３への電源電圧Ｖｂの供給線には、リセット回路部５１が接続されており、リセット回路部（動作停止回路部）５１は、リセット信号を信号出力回路部２に出力する。リセット回路部５１は、リセットＩＣ等が用いられ、信号入力回路部３に供給される電源電圧Ｖｂを監視して、電源電圧Ｖｂが所定電圧以下に低下すると、信号出力回路部２にリセット信号を出力する。信号出力回路部２は、リセット回路部５１からリセット信号が入力されていると、その回路の動作を停止して、リセット信号の入力が解除されると、動作を再起動させる。
【００６６】
なお、本実施例の電子装置５０は、信号出力回路ｂ２と信号入力回路部３に出力される信号の信号線５に、図３に破線で示すように、上記第１実施例と同様の保護回路部４が接続されていてもよい。
【００６７】
本実施例の電子装置５０は、信号出力回路部２と信号入力回路部３にそれぞれ奨励動作範囲の電源電圧Ｖａと電源電圧Ｖｂが供給されているときには、信号出力回路部２は、電源電圧Ｖａによって動作して、所定電圧値、例えば、１．０Ｖの信号を信号線５を通して信号入力回路部３に出力し、信号入力回路部３は、電源電圧Ｖｂが供給されることで、信号出力回路部２から入力される信号に応じた動作を行う。
【００６８】
そして、信号入力回路部３の電源電圧Ｖｂの供給線には、リセット回路部５１が接続されており、リセット回路部５１は、電源電圧Ｖｂが所定電圧以下に低下すると、リセット信号を信号出力回路部２に出力する。信号出力回路部２は、リセット回路部５１からリセット信号が入力されている間は、その回路の動作を停止して、リセット信号の入力が解除されると、動作を再起動させる。
【００６９】
例えば、電子装置１の電源がオフされると、信号出力回路部２の電源電圧Ｖａ及び信号入力回路部３の電源電圧Ｖｂもオフになるが、電源電圧Ｖａと電源電圧Ｖｂとは、その立ち下がりが、図６に示した場合とは逆に、電源電圧Ｖｂが先に立ち下がりを開始し、電源電圧Ｖｂの立ち下がりの途中から電源電圧Ｖａが立ち下がりを開始する。
【００７０】
このような場合に、信号入力回路部３の電源電圧Ｖｂが所定電圧以下に低下すると、リセット回路部５１が、電源電圧Ｖａが供給されている信号出力回路部２をリセットさせる。
【００７１】
したがって、信号入力回路部３が電源電圧Ｖａの低下で動作が停止に向かっているときに、電源電圧Ｖａで動作する信号出力回路部２のみが動作を継続して、不必要な信号を出力することを防止することができ、信号入力回路部３が誤動作したり、破損することを防止することができる。
【００７２】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【産業上の利用可能性】
【００７３】
本発明は、信号のやり取りを行う回路部間の信号値の範囲を適切に規制する複合装置、複写装置、プリンタ装置、コンピュータ等の電子装置に利用することができる。
【符号の説明】
【００７４】
１  電子装置
２  信号出力回路部
３  信号入力回路部
４  保護回路部
５  信号線
Ｐ  接続点
Ｖａ、Ｖｂ  電源電圧
Ｄ１  ダイオード
Ｒ１、Ｒ２  抵抗
２１  ＩＣ
２２  ボルテージフォロア
３１  ノイズ除去回路
３２  ＬＤドライバ
３３  ＬＤ
５０  電子装置
５１  リセット回路部
【先行技術文献】
【特許文献】
【００７５】
【特許文献１】特開２００８−５５８２号公報
【図１】
2010211645.tif 000003
【図２】
2010211645.tif 000004
【図３】
2010211645.tif 000005
【図４】
2010211645.tif 000006
【図５】
2010211645.tif 000007
【図６】
2010211645.tif 000008
【図７】
2010211645.tif 000009